(57)【要約】【課題】改良された減圧装置を特徴とするインフレータブル物品修理・膨張キットを提供する。【解決手段】インフレータブル物品修理・膨張キットは、封止流体のキャニスタ（３）と、圧力源に接続可能で、且つキャニスタ（３）に接続された入口（４）と、入口（４）とキャニスタ（３）との間に流通可能に介装された選択弁（１２）と、選択弁（１２）にキャニスタ（３）と並列に接続された導管（１３）と、キャニスタ（３）内の圧力を導管（１３）内の圧力に対して低下させる、選択弁（１２）及びキャニスタ（３）の流れ抵抗（２３）とを備える。インフレータブル物品修理・膨張キットによって、封止流体のキャニスタへの最良の圧力を確保できる。【選択図】図１
2014521545.tif 000002
【特許請求の範囲】
【請求項１】
封止流体のキャニスタ（３）と、
圧力源に接続可能で、且つ前記キャニスタ（３）に接続された入口（４）と、
前記入口（４）と前記キャニスタ（３）との間に流通可能に介装された選択弁（１２）と、
前記選択弁（１２）に前記キャニスタ（３）と並列に接続された導管（１３）と、
前記選択弁（１２）の可動シャッター（２５）と前記キャニスタ（３）との間に位置して、前記キャニスタ（３）内の圧力を前記導管（１３）内の圧力に対して低下させる流れ抵抗（２３）と
を備えるインフレータブル物品修理・膨張キット。
【請求項２】
前記流れ抵抗（２３）が、前記可動シャッター（２５）を収容する中空体（２４）に備え付けられていることを特徴とする、請求項１に記載のキット。
【請求項３】
前記流れ抵抗（２３）が、前記中空体（２４）と一体を成していることを特徴とする、請求項２に記載のキット。
【請求項４】
圧縮空気流の圧力及び／又は流量が所定の閾値を超えたときに音響信号を発する音響指示器（２３）を備えることを特徴とする、請求項１〜３のいずれか一項に記載のキット。
【請求項５】
前記音響指示器が、前記圧力源により発生する圧縮空気流によって駆動されることを特徴とする、請求項４に記載のキット。
【請求項６】
前記音響指示器が、前記流れ抵抗（２３）によって画成されていることを特徴とする、請求項５に記載のキット。
【請求項７】
前記選択弁（１２）が、前記選択弁（１２）により画成されるさらなる入口（２１）に対して互いに直列に配置された第一及び第二流体シール（２９，３０）を備えることを特徴とする、請求項１〜６のいずれか一項に記載のキット。
【請求項８】
前記選択弁（１２）が、前記中空体（２４）内部の前記可動シャッター（２５）を閉じるためのキャップ（２６）を備え、
前記第一及び第二流体シール（２９，３０）が、前記さらなる入口（２１）と前記キャップ（２６）との間に介装されていることを特徴とする、請求項７に記載のキット。
【請求項９】
少なくとも前記選択弁（１２）を収容するケーシング（２）を備え、
前記キャニスタ（３）が、前記ケーシング（２）に接続されるとともに前記ケーシング（２）に対して固定されていることを特徴とする、請求項１〜８のいずれか一項に記載のキット。
【発明の詳細な説明】
【技術分野】
【０００１】
本発明は、重荷重車両用ブレーキシステム等の高圧源に接続される、改良された減圧装置を有するインフレータブル物品修理・膨張キットに関する。
【背景技術】
【０００２】
タイヤ等のインフレータブル物品を修理するための封止流体のキャニスタを減圧装置に接続することが知られている。
【発明の概要】
【発明が解決しようとする課題】
【０００３】
本発明の目的は、改良された減圧装置を特徴とするインフレータブル物品修理・膨張キットを提供することである。
本発明によれば、請求項１に記載のようなキットが提供される。
【課題を解決するための手段】
【０００４】
上記課題を解決する第一の発明に係るインフレータブル物品修理・膨張キットは、封止流体のキャニスタと、圧力源に接続可能で、且つ前記キャニスタに接続された入口と、前記入口と前記キャニスタとの間に流通可能に介装された選択弁と、前記選択弁に前記キャニスタと並列に接続された導管と、選択弁の可動シャッターと前記キャニスタとの間に位置して、前記キャニスタ内の圧力を前記導管内の圧力に対して低下させる流れ抵抗とを備える。
【０００５】
上記課題を解決する第二の発明に係るインフレータブル物品修理・膨張キットは、第一の発明に係るインフレータブル物品修理・膨張キットにおいて、前記流れ抵抗が、前記可動シャッターを収容する中空体に備え付けられていることを特徴とする。
【０００６】
上記課題を解決する第三の発明に係るインフレータブル物品修理・膨張キットは、第二の発明に係るインフレータブル物品修理・膨張キットにおいて、前記流れ抵抗が、前記中空体と一体を成していることを特徴とする。
【０００７】
上記課題を解決する第四の発明に係るインフレータブル物品修理・膨張キットは、第一から第三のいずれかの発明に係るインフレータブル物品修理・膨張キットにおいて、圧縮空気流の圧力及び／又は流量が所定の閾値を超えたときに音響信号を発する音響指示器を備えることを特徴とする。
【０００８】
上記課題を解決する第五の発明に係るインフレータブル物品修理・膨張キットは、第四の発明に係るインフレータブル物品修理・膨張キットにおいて、前記音響指示器が、前記圧力源により発生する圧縮空気流によって駆動されることを特徴とする。
【０００９】
上記課題を解決する第六の発明に係るインフレータブル物品修理・膨張キットは、第五の発明に係るインフレータブル物品修理・膨張キットにおいて、前記音響指示器が、前記流れ抵抗によって画成されていることを特徴とする。
【００１０】
上記課題を解決する第七の発明に係るインフレータブル物品修理・膨張キットは、第一から第六のいずれかの発明に係るインフレータブル物品修理・膨張キットにおいて、前記選択弁が、前記選択弁により画成されるさらなる入口に対して互いに直列に配置された第一及び第二流体シールを備えることを特徴とする。
【００１１】
上記課題を解決する第八の発明に係るインフレータブル物品修理・膨張キットは、第七の発明に係るインフレータブル物品修理・膨張キットにおいて、前記選択弁が、前記中空体内部の前記可動シャッターを閉じるためのキャップを備え、前記第一及び第二流体シールが、前記さらなる入口と前記キャップとの間に介装されていることを特徴とする。
【００１２】
上記課題を解決する第九の発明に係るインフレータブル物品修理・膨張キットは、第一から第八のいずれかの発明に係るインフレータブル物品修理・膨張キットにおいて、少なくとも前記選択弁を収容するケーシングを備え、前記キャニスタが、前記ケーシングに接続されるとともに前記ケーシングに対して固定されていることを特徴とする。
【図面の簡単な説明】
【００１３】
【図１】本発明に係るキットの斜視図を示す。
【図２】本発明に係るキットの流体回路の図を示す。
【図３】図１に示すキットの構成部分の長手方向断面を示す。
【図４】所定の動作位置における、図３の軸線Ａ及びＢを通る平面での断面を示す。
【図５】図４と異なる動作位置における、図３の軸線Ａ及びＢを通る平面での断面を示す。
【発明を実施するための形態】
【００１４】
本発明の好ましい非限定の実施形態を、添付の図面を参照して一例として説明する。
【００１５】
図１において符号１は、ケーシング２と、封止流体のキャニスタ３と、ケーシング２によって画成された圧縮空気入口４とを備えるタイヤ修理・膨張キットの全体を示す。
【００１６】
ケーシング２は、ゲージ６及びノブ７が嵌め込まれた上部壁５を備える。
【００１７】
ケーシング２の側部壁には、ケーシング２の周りを螺旋状に一回り超延在する周囲溝が画成されており、この周囲溝は、キャニスタ３に流体接続されたホース８を収容する。キャニスタ３は、ゲージ６及びノブ７を挟んで入口４の反対側にあるケーシング２の座部内に少なくとも部分的に収容されている。
【００１８】
図２は、ケーシング２内に少なくとも部分的に収容された流体回路９の図を示す。
【００１９】
流体回路９は、入口４と、修理用ブランチ１０及び膨張用ブランチ１１とを備える。修理用ブランチ１０及び膨張用ブランチ１１は、使用者がノブ７により手動で切り替え可能な、１つの入口及び２つの出口を有する選択弁１２によって選択可能である。
【００２０】
膨張用ブランチ１１は、入口４をタイヤ１８に直接接続する導管１３を備える。
【００２１】
修理用ブランチ１０は、キャニスタ３に接続され選択弁１２に対して導管１３と並列な導管１４を備える。
【００２２】
図３に示すように、選択弁１２には、入口２１と、軸線Ａを有する第一出口２２と、軸線Ｂを有する第二出口２３とが画成されている。出口２２は、タイヤ１８を膨張させるために導管１３に接続され、出口２３は、導管１４によってキャニスタ３に接続されている。
【００２３】
より具体的には、選択弁１２は、入口２１及び出口２２，２３を画成する中空体２４と、中空体２４内部の回転シャッター２５と、中空体２４内部の回転シャッター２５を閉じるキャップ２６とを備える。図示の実施形態において、入口２１は、回転シャッター２５を挟んだキャップ２６の反対側において中空体２４の内部から突出し、出口２２，２３は、回転シャッター２５に対向して、圧縮空気流が、その方向を転換されて、回転シャッター２５に対して、シャッター２５の回転軸線Ｃと平行な成分を有する力を発生させるようになっている。
【００２４】
この力が、キャップ２６により例えば一体に画成されたスラスト軸受２７、好ましくは摩擦軸受に荷重を加える。
【００２５】
より具体的には、回転シャッター２５は、ノブ７に接続された本体２８と、本体２８に対して固定され中空体２４に接触して第一摺動シールを画成するインサート２９と、キャップ２６に向かって第一摺動シールと直列の第二摺動シール３０とを備える。
【００２６】
インサート２９は、軸線Ａに平行な方向において大きさが変化する面積に亘って中空体２４に接触する弾性変形可能なポリマー材料から作られている。
【００２７】
第二摺動シールは好ましくは、出口２２，２３とキャップ２６との間において、本体２８と中空体２４との間に嵌合されたＯリングである。
【００２８】
本体２８及び中空体２４には、突起３１と協働して最大相対角度位置を規定する２つのストップ３０ａ（１つのみ示す）が画成されている。
【００２９】
図４及び５は、回転シャッター２５の詳細を示しており、回転シャッター２５には、入口２１を出口２２又は出口２３に流体接続する空洞３２が画成されている。軸方向においてインサート２９には、回転シャッター２５の角度位置に関係なく空洞３２と第二摺動シール３０との間に連続的な流体シールが画成されている。
【００３０】
周方向において、空洞３２の大きさ及び出口２２と出口２３との間の角距離は、入口２１が出口２２，２３の一方に接続されると他方への圧縮空気流がインサート２９により遮断されるような大きさ及び角距離になっている。
【００３１】
出口２２及び出口２３は異なる流れ抵抗を有し、出口２３が、入口４からの圧力を出口２２よりも大きく低下させるようになっている。
【００３２】
出口２２は、好ましくは、出口２３よりも大きな流れ断面を有する。
【００３３】
キット１は以下のように動作する。
【００３４】
キットが車両に搭載されると、選択弁１２は両方の出口２２，２３を閉じる安全設定に設定される。これによりキットは、導管１３又は１４に沿って圧縮空気が誤って流れる恐れなく、重荷重車両の圧縮空気回路に接続可能となる。
【００３５】
タイヤ１８を修理するためには、ホース８をタイヤに接続し、選択弁１２を切り替えて出口２３を開くとともに出口２２を閉じる。
【００３６】
出口２３により圧力が低下して、圧縮空気を適切な封止流体注入圧で供給し、封止流体が早期凝固するのを防止する。圧力は、好ましくは６バール以下、より好ましくは４バール未満まで低下させる。
【００３７】
出口２３は、好ましくは、圧縮空気の圧力及び／又は流量が所定の閾値を超えたときに、例えば圧縮空気流により発生する音響信号を発する。
【００３８】
封止流体が注入されたら、選択弁１２を切り替えて出口２２を開くとともに出口２３を閉じる。圧縮空気が導管１４よりも高い圧力で導管１３に沿って流れ、タイヤ１８をより早く膨張させる。
【００３９】
本発明に係るキットは、以下の利点を有する。
【００４０】
出口２３の流れ抵抗によって、封止流体のキャニスタへの最良の圧力を確保できる。
【００４１】
流れ抵抗が選択弁１２の出口２３に組み込まれるので、組み立てのためのキットの構成部品の数を低減できる。
【００４２】
第一及び第二摺動シール２９，３０が直列に配置されるので、キャップ２６への漏出をより良好に防止できる。
【００４３】
音響信号がキットの正しい動作を示す。
【００４４】
変更を、添付の特許請求の範囲から逸脱することなく、本明細書で説明例示したキット１に加えてもよいことは明らかである。
【００４５】
特に、キャニスタ３は、固定されていてもケーシング２から取り外し可能であっても良い。
【００４６】
導管１３は、図２に示すようにキャニスタ３の下流側のホース８に接続してもよいし、ホース８とは別体でタイヤ１８に直接接続可能な膨張用ホースを備えてもよい。
【００４７】
出口２３が音響指示器を画成しているが、音響指示器は、デジタル且つ／又は加圧流体以外のエネルギー源により駆動されるものであってもよく、また、封止流体のキャニスタと、圧力源に接続可能で、且つキャニスタに接続された入口と、入口とキャニスタとの間に流通可能に介装された選択弁と、選択弁にキャニスタと並列に接続された導管とを備える任意のインフレータブル物品修理・膨張キットに設けることができる。
【図１】
2014521545.tif 000003
【図２】
2014521545.tif 000004
【図３】
2014521545.tif 000005
【図４】
2014521545.tif 000006
【図５】
2014521545.tif 000007
【国際調査報告】
2014521545.tif 000008
2014521545.tif 000009